【手続補正書】
【提出日】平成20年5月30日(2008.5.30)
【手続補正１】
【補正対象書類名】特許請求の範囲
【補正対象項目名】全文
【補正方法】変更
【補正の内容】
【特許請求の範囲】
【請求項１】
インプラント物品を組織部位に送達する方法であって、
ａ）組織インプラントおよび多孔質表面を与える補てつ装置から成る群から選択された物品を用意し、
ｂ）重合開始剤と重合性側基を有する１種またはそれ以上のポリマーとを含む架橋性マクロマー系を用意し、
ｃ）該物品を該組織部位内に、該物品と該組織の間に置かれる該マクロマー系と共に植え込み、そして
ｄ）該マクロマー系を重合して、架橋マトリックスを貫いてそして該インプラントと天然組織の間にて連続組織成長を可能にするのに適した架橋マトリックスを該物品と該組織部位の間に形成させる
ことを含む方法。
【請求項２】
物品を組織部位内に植え込む前にマクロマー系を該物品上に置き、そしてこの物品を組織部位内に植え込む前、中または後にマクロマー系を架橋する、請求項１に記載の方法。
【請求項３】
マクロマー系を組織部位に送達し、そしてインプラント物品が該組織部位内に置かれる前、中または後にマクロマー系を架橋する、請求項１に記載の方法。
【請求項４】
物品を組織部位内に植え込む前に第１量のマクロマー系を該物品上に置き、そしてこのインプラント物品を組織部位内に置く前または後のどちらかにて第２量の同じまたは異なるマクロマー系のどちらかを組織部位に送達し、しかも第１および第２量は独立して、該インプラントを組織部位内に置く前、中または後に架橋される、請求項１に記載の方法。
【請求項５】
マクロマー系を吹き付ける、浸漬する、注入するまたは刷毛塗りすることにより、マクロマー系を組織部位および／またはインプラント物品に適用する、請求項１に記載の方法。
【請求項６】
重合性側基を有するポリマーが、次の工程すなわち
ａ）ポリサッカライドおよびポリアミノ酸から成る群から選択されたポリマーを用意し、そして
ｂ）該ポリマーと、フリーラジカル重合を受けることの可能なエチレン不飽和基を含有する反応性部分との反応により、重合性基を該ポリマー中に組み込む
工程を含み、しかも極性有機溶媒を含む媒質中で該ポリマーと該反応性部分の間の反応を行う方法により製造される、請求項１に記載の方法。
【請求項７】
ポリサッカライドが、ヒアルロン酸、デンプン、デキストラン、ヘパリン、コンドロイチン硫酸、デルマタン硫酸、ヘパラン硫酸、ケラタン硫酸、デキストラン硫酸、ペントサンポリ硫酸およびキトサンから成る群から選択され、そしてポリアミノ酸が、ゼラチン、コラーゲン、フィブロネクチン、ラミニン、アルブミン、エラスチンおよびそれらの活性ペプチドドメインから成る群から選択される、請求項６に記載の方法。
【請求項８】
溶媒が、ホルムアミドを含む、請求項７に記載の方法。
【請求項９】
反応性部分が、グリシジルアクリレートおよびアクリロイルクロライドから成る群から選択される、請求項８に記載の方法。
【請求項１０】
ポリマーが、ヒアルロン酸またはコラーゲンを含む、請求項９に記載の方法。
【請求項１１】
開始剤が、ポリマーからのペンダントの開始剤を含む、請求項１に記載の方法。
【請求項１２】
マクロマー系が、Ｎ−ビニル化合物を含む重合促進剤を更に含む、請求項１に記載の方法。
【請求項１３】
物品が、関節インプラント、歯科インプラント、軟組織美容補てつ物、創傷用包帯、脈管補てつ物および眼科補てつ物から選択される、請求項１に記載の方法。
【請求項１４】
物品が、多孔質表面を有する股関節および膝の補てつ装置から成る群から選択された関節インプラントである、請求項１３に記載の方法。
【請求項１５】
補てつ装置が、合成材料から製作され、そして多孔質表面が、相互連結通路を有する三次元構造を与え、しかも孔直径が約５ミクロン〜約１ｍｍの平均孔サイズを有する、請求項１４に記載の方法。
【請求項１６】
平均孔サイズが、直径約２０ミクロン〜約６００ミクロンである、請求項１５に記載の方法。
【請求項１７】
重合性マクロマー系を製造する方法であって、次の工程すなわち
ａ）ポリサッカライドおよびポリアミノ酸から成る群から選択されたポリマーを用意し、そして
ｂ）該ポリマーと、フリーラジカル重合を受けることの可能なエチレン不飽和基を含有する反応性部分との反応により、重合性基を該ポリマー中に組み込む
工程を含み、しかも極性有機溶媒を含む媒質中で該ポリマーと該反応性部分の間の反応を行う方法。
【請求項１８】
ポリサッカライドが、ヒアルロン酸、デンプン、デキストラン、ヘパリン、コンドロイチン硫酸、デルマタン硫酸、ヘパラン硫酸、ケラタン硫酸、デキストラン硫酸、ペントサンポリ硫酸およびキトサンから成る群から選択され、そしてポリアミノ酸が、ゼラチン、コラーゲン、フィブロネクチン、ラミニン、アルブミン、エラスチンおよびそれらの活性ペプチドドメインから成る群から選択される、請求項１７に記載の方法。
【請求項１９】
溶媒が、ホルムアミドを含む、請求項１８に記載の方法。
【請求項２０】
反応性部分が、グリシジルアクリレートおよびアクリロイルクロライドから成る群から選択される、請求項１９に記載の方法。
【請求項２１】
ポリマーが、ヒアルロン酸またはコラーゲンを含む、請求項２０に記載の方法。
【請求項２２】
開始剤が、ポリマーからのペンダントの開始剤を含む、請求項１７に記載の方法。
【請求項２３】
マクロマー系が、Ｎ−ビニル化合物を含む重合促進剤を更に含む、請求項１７に記載の方法。
【請求項２４】
重合性マクロマー系であって、ポリサッカライドおよびポリアミノ酸から成る群から選択されたポリマーを含み、しかも極性有機溶媒を含む媒質中での該ポリマーと、フリーラジカル重合を受けることの可能なエチレン不飽和基を含有する反応性部分との反応により、重合性基が該ポリマー中に組み込まれているマクロマー系。
【請求項２５】
ポリサッカライドが、ヒアルロン酸、デンプン、デキストラン、ヘパリン、コンドロイチン硫酸、デルマタン硫酸、ヘパラン硫酸、ケラタン硫酸、デキストラン硫酸、ペントサンポリ硫酸およびキトサンから成る群から選択され、そしてポリアミノ酸が、ゼラチン、コラーゲン、フィブロネクチン、ラミニン、アルブミン、エラスチンおよびそれらの活性ペプチドドメインから成る群から選択される、請求項２４に記載のマクロマー系。
【請求項２６】
溶媒が、ホルムアミドを含む、請求項２５に記載のマクロマー系。
【請求項２７】
反応性部分が、グリシジルアクリレートおよびアクリロイルクロライドから成る群から選択される、請求項２６に記載のマクロマー系。
【請求項２８】
ポリマーが、ヒアルロン酸またはコラーゲンを含む、請求項２７に記載のマクロマー系。
【請求項２９】
開始剤が、ポリマーからのペンダントの開始剤を含む、請求項２４に記載のマクロマー系。
【請求項３０】
マクロマー系が、Ｎ−ビニル化合物を含む重合促進剤を更に含む、請求項２４に記載のマクロマー系。
【請求項３１】
植込み可能な組み合せ物あって、
ａ）組織インプラントおよび多孔質表面を与える補てつ装置から成る群から選択されたインプラント物品、および
ｂ）該物品上に置かれ、かつ、重合開始剤と重合性側基を有する１種またはそれ以上のポリマーとを含むマクロマー系
を含む組み合せ物。
【請求項３２】
マクロマー系が架橋されて、マトリックスを貫いてそしてインプラントと天然組織の間にて連続組織成長を可能にするのに適したマトリックスが形成される、請求項３１に記載の組み合せ物。
【請求項３３】
組織部位内に植込まれた組み合せ物であって、
ａ）組織インプラントおよび多孔質表面を与える補てつ装置から成る群から選択されたインプラント物品、および
ｂ）該物品と該組織部位の間に置かれた架橋マトリックスであって、重合開始剤と重合性側基を有する１種またはそれ以上のポリマーとを含むマクロマー系を架橋することにより作製されたマトリックス
を含み、組織部位内におよび／または組織部位に並置して置かれた、植込まれた組み合せ物。
【請求項３４】
組織部位内に植込まれた組み合せ物であって、該組み合せ物は
ａ）組織インプラントおよび多孔質表面を与える補てつ装置から成る群から選択されたインプラント物品、および
ｂ）該物品と該組織部位の間に置かれた架橋マトリックスであって、重合開始剤と重合性側基を有する１種またはそれ以上のポリマーとを含むマクロマー系を架橋することにより作製されたマトリックス
を含み、しかも該組み合せ物は組織部位内におよび／または組織部位に並置して置かれ、また該マトリックスを貫いてそして該組織部位と該インプラント物品の間にて連続組織内成長が存在する植込まれた組み合せ物。
【請求項３５】
重合性側基および開始剤側基を与える１種またはそれ以上のポリマーを含む架橋性マクロマー系であって、該系は、生体内用途に適したマトリックスを形成するよう重合されるように適応されており、しかも
（ａ）該重合性基および該開始剤基は異なるポリマーにペンダントされており、しかも該開始剤基は独立して、ベンゾフェノン、チオキサントンおよびベンゾインエーテルから成る群から選択された長波紫外線活性化性分子；エチルエオシン、エオシンＹ、ローズベンガル、カンファーキノンおよびエリトロシンから成る群から選択された可視光活性化性分子；並びに４，４′−アゾビス（４−シアノペンタン酸）、２，２−アゾビス［２−（２−イミダゾリン−２−イル）プロパン］二塩酸塩およびベンゾイルペルオキシドから成る群から選択された熱活性化性分子から成る群から選択され、そして該重合性側基は、ビニル基、アクリレート基、メタクリレート基、エタクリレート基、２−フェニルアクリレート基、アクリルアミド基、メタクリルアミド基、イタコネート基およびスチレン基から成る群から選択される、または
（ｂ）該重合性基および該開始剤基は同じポリマーにペンダントされており、しかも該開始剤基は独立して、チオキサントンおよびベンゾインエーテルから成る群から選択された長波紫外線活性化性分子；エチルエオシン、エオシンＹ、ローズベンガル、カンファーキノンおよびエリトロシンから成る群から選択された可視光活性化性分子；並びに４，４′−アゾビス（４−シアノペンタン酸）、２，２−アゾビス［２−（２−イミダゾリン−２−イル）プロパン］二塩酸塩およびベンゾイルペルオキシドから成る群から選択された熱活性化性分子から成る群から選択され、そして該重合性側基は、ビニル基、アクリレート基、メタクリレート基、エタクリレート基、２−フェニルアクリレート基、アクリルアミド基、メタクリルアミド基、イタコネート基およびスチレン基から成る群から選択される、または
（ｃ）該重合性基および該開始剤基は同じポリマーにペンダントされており、しかも該開始剤基は独立して、ベンゾフェノン、チオキサントンおよびベンゾインエーテルから成る群から選択された長波紫外線活性化性分子；エチルエオシン、エオシンＹ、ローズベンガル、カンファーキノンおよびエリトロシンから成る群から選択された可視光活性化性分子；並びに４，４′−アゾビス（４−シアノペンタン酸）、２，２−アゾビス［２−（２−イミダゾリン−２−イル）プロパン］二塩酸塩およびベンゾイルペルオキシドから成る群から選択された熱活性化性分子から成る群から選択され、そして該重合性側基は、アクリレート基、メタクリレート基、エタクリレート基、２−フェニルアクリレート基、アクリルアミド基、メタクリルアミド基、イタコネート基およびスチレン基から成る群から選択される
のいずれかであり、また該マクロマー系は、Ｎ−ビニル化合物を含む重合促進剤を更に含む架橋性マクロマー系。